(57)【要約】  【課題】インターネットファクシミリで両面原稿を送信した場合、相手側の受信機で両面プリントの処理を行うことが可能なインターネットファクシミリ装置を提供する。  【解決手段】メール送信を行う場合、読み取った原稿が両面原稿か否かを判定し、原稿が両面原稿でない場合、原稿を通常のメール送信により相手方に送信する（ステップ101、102）。一方、原稿が両面原稿である場合、メールヘッダに両面原稿を示す情報を付加し、メール本文に原稿が両面読みされたものである旨のメッセージを付加してメールを送信する（ステップ103〜105）。そして、受信したメールのメールヘッダまたはメール本文に両面原稿を示す情報が含まれている場合、受信側では、添付ファイルの受信原稿に両面原稿属性を付加して保存することにより、両面プリントなどの処理を行うことができる。  【選択図】図４
2006295574.tif 000002
【特許請求の範囲】
【請求項１】
メール送受信を行う制御手段を備えたインターネットファクシミリ装置であって、
メール送信時、上記制御手段が原稿が両面か否かを判定し、両面原稿の場合、メールヘッダに両面原稿であることを示す情報を付加することを特徴とするインターネットファクシミリ装置。
【請求項２】
メール送受信を行う制御手段を備えたインターネットファクシミリ装置であって、
メール送信時、上記制御手段が原稿が両面か否かを判定し、両面原稿の場合、メール本文に原稿が両面読みされたものである旨のメッセージを付加することを特徴とするインターネットファクシミリ装置。
【請求項３】
メール受受信を行う制御手段を備えたインターネットファクシミリ装置であって、
メール受信時、上記制御手段が、メールヘッダまたはメール本文に両面原稿を示す情報が含まれているか否かを判定し、両面原稿を示す情報が含まれている場合、受信原稿に両面属性を付加してメモリに保存することを特徴とするインターネットファクシミリ装置。
【発明の詳細な説明】
【技術分野】
【０００１】
本発明は、原稿を電子メールで送受信することができるインターネットファクシミリ装置に関する。
【背景技術】
【０００２】
最近、インターネットの普及とともに、インターネット回線を利用した様々なサービスが提案されており、インターネットを介してファクシミリデータを送受するファクシミリも提案されており、このようなファクシミリはインターネットファクシミリと呼ばれている。
【０００３】
このようなインターネットファクシミリにおいて、電子メールを利用してインターネットを介して画像データを送受信する場合、画像データを含む電子メールを送信側のメールサーバ装置及びインターネットを介して受信側のメールサーバ装置にＳＭＴＰ（Simple Mail Transfer Protocol）方式で送信し、受信側のインターネットファクシミリ装置は、ＰＯＰ３(Post  Office  Protocol  version3）方式で受信側のメールサーバ装置にアクセスして画像データを含む電子メールを受信し、受信した画像データをプリンタによりプリントするようになっている。
【０００４】
一方、Ｇ３ファクシミリ通信等においては、ＩＴＵ−Ｔ勧告Ｔ−３０に規定された通信手順を用いることにより、両面原稿の画像データを両面伝送モードを用いて伝送することができ、両面通信モードで画像データを受信した場合、画像データを画像メモリに格納した後、格納した画像データの画像を両面印刷モードで記録することができるようになっている（例えば、特許文献１参照）。
【特許文献１】特開２００３−８８５９号公報
【発明の開示】
【発明が解決しようとする課題】
【０００５】
上記のように、Ｇ３−ＦＡＸの場合には、Ｔ−３０に規定する送信手順を用いれば、相手側の受信機に対して原稿が両面読みされたものであることを通知することができるが、インターネットファックス送信する場合には、原稿が両面読みされたものであることを通知する手段がなく、原稿が両面読みされたものを送信したとしても、相手側の受信機で片面プリントされてしまうため、用紙が無駄になるという問題があった。
【０００６】
本発明は、上記の問題に鑑みてなされたもので、インターネットファクシミリで両面原稿を送信した場合、相手側の受信機で両面プリントの処理を行うことが可能なインターネットファクシミリ装置を提供することを目的とする。
【課題を解決するための手段】
【０００７】
上述の目的を達成するため、請求項１に係る発明のインターネットファクシミリ装置は、メール送受信を行う制御手段を備えたインターネットファクシミリ装置であって、メール送信時、上記制御手段が原稿が両面か否かを判定し、両面原稿の場合、メールヘッダに両面原稿であることを示す情報を付加することを特徴とする。
【０００８】
また、請求項２に係る発明のインターネットファクシミリ装置は、メール送受信を行う制御手段を備えたインターネットファクシミリ装置であって、メール送信時、上記制御手段が原稿が両面か否かを判定し、両面原稿の場合、メール本文に原稿が両面読みされたものである旨のメッセージを付加することを特徴とする。
【０００９】
さらに、請求項３に係る発明のインターネットファクシミリ装置は、メール受受信を行う制御手段を備えたインターネットファクシミリ装置であって、メール受信時、上記制御手段が、メールヘッダまたはメール本文に両面原稿を示す情報が含まれているか否かを判定し、両面原稿を示す情報が含まれている場合、受信原稿に両面属性を付加してメモリに保存することを特徴とする。
【発明の効果】
【００１０】
請求項１〜請求項３に係る発明のインターネットファクシミリ装置によれば、両面原稿をメール送信する場合、メールヘッダあるいはメール本文に原稿が両面読みされたものである旨の情報が付加されるとともに、両面原稿のメール受信時には、受信原稿に両面属性が付加されてメモリに保存されるので、受信機側では、両面原稿であることを自動的に認識して両面プリントなどの処理を行うことが可能となる。
【００１１】
なお、メール本文に原稿が両面読みされたものである旨の情報を埋め込む場合には、たまたま本文内にその情報と同じ内容が含まれている場合に受信機が誤動作する可能性があるため、メールヘッダに埋め込むほうがより確実であるが、受信機側がインターネットファクシミリではなく、メールソフトである場合も考慮すると、メール本文にも原稿が両面読みされたものである旨を示すメッセージを付加するのが望ましい。
【実施例】
【００１２】
本発明のインターネットファクシミリ装置をファクシミリ機能、コピー機能、プリンタ機能を備えたデジタル複合機に適用した場合の実施例について、図面を用いて説明する。
図１はデジタル複合機を備えたシステムのネットワーク構成例を示す図であり、図２はデジタル複合機のハードウェア構成を示すブロック図である。
【００１３】
図１に示すネットワーク構成図において、１はデジタル複合機、２はＳＭＴＰサーバ、３、４・・・はパソコン、５は公衆交換電話網（ＰＳＴＮ）、６はＬＡＮ（Local Area Network）、７はインターネット網である。デジタル複合機１はＭＲ、ＭＭＲ方式等により符号化した画像データを送受信するファクシミリ機能、及びＴＩＦＦ方式等により符号化され、電子メールに添付された画像データを送受信するインターネットファクシミリ機能を備え、ＰＳＴＮ５、ＬＡＮ６を介して他の装置と画像データの送受信を行うことができる。
また、ＳＭＴＰサーバ２はＬＡＮ６に接続されており、デジタル複合機１からの電子メールをＳＭＴＰプロトコルを用いて受信し、ＬＡＮ６を介してインターネット網７に送信する機能を備えている。
【００１４】
一方、デジタル複合機１は、図２のハードウェア構成を示すブロック図に示すように、ＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、及びＬＡＮインターフェース（Ｉ／Ｆ）２１から構成され、各部がバス２２を介して接続されている。
【００１５】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶する。
【００１６】
表示・操作部１４は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。また、操作キーとして、テンキー３２、スタートキー３３、リセットキー３４、ストップキー３５、十字キー３６、リターンキー３７、セットキー３８、ファックス切替キー３９、コピー切替キー４０、スキャナ切替キー４１等の各種キーが設けられている。なお、ＬＣＤ表示部３１によりこれらの操作キーの一部又は全部を代用することも可能である。
【００１７】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００１８】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１９】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２０】
ＬＡＮインターフェース２１はＳＭＴＰサーバ２が接続されたＬＡＮ６に接続され、インターネット網７からの信号を受信する一方、ＬＡＮ６に対して信号やデータを送信するものであり、信号変換やプロトコル変換などのインターフェース処理を実行する。
【００２１】
デジタル複合機１は上記のような構成を備えており、Ｇ３ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２２】
一方、このデジタル複合機１は、インターネットファックス機能を備えており、以下、メール送信時の作用を図４のフローチャートにより説明する。
ユーザが読取部１５の原稿載置部に原稿をセットした後、表示・操作部１４のファックス切替キー３９を押下すると、ＬＣＤ表示部３１に図５に示すようなファックス送信機能選択画面が表示される。この表示画面には、図に示すように原稿をファックス送信する「ＦＡＸ」キー、原稿をメールで送信、すなわちインターネットファックス送信する「メール」キー及び原稿情報「片面」、「両面」を選択するキーが表示されている。なお、原稿情報は通常「片面」が選択されており、原稿が両面の場合、「両面」キーを押下することにより、両面原稿読み取りに設定することができる。
【００２３】
そして、例えば、ユーザが原稿情報「両面」を選択して「メール」キーを押下し、次の宛先入力画面（図示せず）で短縮ダイヤル番号、ワンタッチキー番号等に登録された相手先あるいはメールアドレスを直接入力した後、スタートキー３３を押下すると、デジタル複合機１のＣＰＵ１１は読取部１５にセットされた原稿の読取処理を行い、画像データを画像メモリ１６に蓄積した後、図４のフローチャートに示すメール送信プログラムを開始する。
【００２４】
このプログラムを開始すると、まず、ＣＰＵ１１は、読み取った原稿が両面原稿か否かを判定し（ステップ１０１）、原稿が両面原稿でないと判定した場合、原稿を通常のメール送信により相手方に送信する（ステップ１０２）。
すなわち、ＣＰＵ１１は画像メモリ１６に蓄積されている原稿本文の画像データをコーデック１８により電子メールに添付可能なファイル形式、例えば、ＴＩＦＦ形式ファイルに変換して電子メール用の添付ファイルを作成し、作成した添付ファイルを添付したメールをＳＭＴＰプロトコルを用いてＬＡＮインターフェース２１、ＬＡＮ６を介してＳＭＴＰサーバ２に送信する。
【００２５】
一方、原稿が両面原稿であると判定した場合、ＣＰＵ１１は、メールヘッダに両面原稿を示す情報、例えば、「Content-X-DuplexFAX:ON」を付加した（ステップ１０３）後、メール本文に原稿が両面読みされたものである旨のメッセージ、例えば、「添付ファイルの原稿は両面読みされたものです。」等の記述を付加してメールを作成する（ステップ１０４）。次に、ＣＰＵ１１は、画像メモリ１６に蓄積されている原稿本文の画像データをコーデック１８により電子メールに添付可能なファイル形式、例えば、ＴＩＦＦ形式ファイルに変換して電子メール用の添付ファイルを作成し、作成した添付ファイルを上記のメールに添付してＳＭＴＰサーバ２に送信する（ステップ１０５）。
【００２６】
次に、メール受信時のＣＰＵ１１の作用を図６のフローチャートにより説明する。
ＳＭＴＰサーバ２からメールを受信すると、ＣＰＵ１１は図６のフローチャートに示すメール受信プログラムを開始し、まず、受信したメールのメールヘッダに両面原稿を示す情報が含まれているか否かを判定し（ステップ２０１）、メールヘッダに両面原稿を示す情報が含まれていないと判定した場合、添付ファイルの受信原稿をコーデック１８により復号し、両面原稿属性を付加せずに画像メモリ１６に保存する（ステップ２０２）。
一方、ステップ２０１でメールヘッダに両面原稿を示す情報が含まれていると判定した場合、ＣＰＵ１１は添付ファイルの受信原稿をコーデック１８により復号し、両面原稿属性を付加して画像メモリ１６に保存する（ステップ２０３）。
【００２７】
そして、ステップ２０２または２０３で受信原稿をメモリに保存した後、ＣＰＵ１１は、デジタル複合機１の設定がメール受信原稿をプリントする設定となっているか否かを判定することにより、プリントを実行するか否かを判定し（ステップ２０４）、メール受信原稿をプリントしない設定となっていると判定した場合、プログラムを終了する。
【００２８】
ステップ２０４でメール受信原稿をプリントする設定となっていると判定した場合、ＣＰＵ１１は、画像メモリ１６に保存された受信原稿に両面原稿属性が付加されているか否かを判定し（ステップ２０５）、両面原稿属性が付加されていないと判定した場合、画像メモリ１６に保存された受信原稿をコーデック１８で復号し、記録部１７により片面プリントする（ステップ２０６）。
【００２９】
一方、ステップ２０５で画像メモリ１６に保存された受信原稿に両面原稿属性が付加されていると判定した場合、ＣＰＵ１１は両面プリント機構が備えられているか否かを判定し（ステップ２０７）、両面プリント機構が備えられていないと判定した場合、上記と同様に、画像メモリ１６に保存された受信原稿を片面プリントする（ステップ２０６）。
【００３０】
また、ステップ２０７で両面プリント機構が備えられていると判定した場合、ＣＰＵ１１は、画像メモリ１６に保存された受信原稿をコーデック１８で復号し、記録部１７により両面プリントする（ステップ２０８）。
なお、この両面プリントにおいて、デジタル複合機１の記録部１７が原稿を１枚毎に反転する機構を備えている場合には、１ページから順にプリントし、記録部１７が全ての原稿の表面の記録完了後裏面の記録を行う用紙反転機構を備えている場合には、奇数ページのプリント完了後に偶数ページのプリントが行われる。
【００３１】
以上のように、両面原稿をメール送信する場合、メールヘッダに原稿が両面読みされたものである旨の情報が付加されるとともに、両面原稿のメール受信時には、受信原稿に両面属性が付加されてメモリに保存されるので、デジタル複合機は、両面原稿であることを自動的に認識して両面プリントなどの処理を行うことが可能となる。
【００３２】
なお、上記の実施例では、メールヘッダに原稿が両面読みされたものである旨の情報が付加されているか否かを判定することにより、受信原稿に両面属性を付加するか否かを決定したが、メール本文のみに原稿が両面読みされたものである旨の情報が付加されている場合には、メール本文に両面読みの情報があるか否かを判定することにより、受信原稿に両面属性を付加するか否かを決定することができる。
【００３３】
また、上記の実施例では、プリントを行わない場合、単に両面属性が付加された受信原稿がメモリに保存されるが、プリントせずに保存する場合には、受信データが両面原稿であることを示す属性及び説明のメッセージを付加して保存するようにすることもできる。
【００３４】
さらに、上記の実施例では、デジタル複合機からメールをメールサーバに送信するようにしたが、デジタル複合機自体にメールサーバ機能を持たせることも可能であり、また、上記の実施例では、本発明のインターネットファクシミリ装置をデジタル複合機に適用した例について説明したが、本発明のインターネットファクシミリ装置はコピー機能やパソコンプリント機能を持たないファクシミリ装置にも適用することができる。
さらに、上記の実施例では送信時にデータをＴＩＦＦ形式のファイルとして送信したが、ＰＤＦ形式やその他の様々なファイル形式で送信するようにすることも可能である。
【図面の簡単な説明】
【００３５】
【図１】本発明のインターネットファクシミリ装置を適用したデジタル複合機を備えたシステムのネットワーク構成例を示す図である。
【図２】デジタル複合機のハードウェア構成を示すブロック図である。
【図３】表示・操作部のパネルの一例を示す図である。
【図４】電子メール送信時のデジタル複合機の作用を示すフローチャートである。
【図５】ファックス送信時の機能選択画面の一例を示す図である。
【図６】電子メール受信時のデジタル複合機の作用を示すフローチャートである。
【符号の説明】
【００３６】
１  デジタル複合機
２  ＳＭＴＰサーバ
３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
３１  ＬＣＤ表示部
【図１】
2006295574.tif 000003
【図２】
2006295574.tif 000004
【図３】
2006295574.tif 000005
【図４】
2006295574.tif 000006
【図５】
2006295574.tif 000007
【図６】
2006295574.tif 000008